(57)【特許請求の範囲】
【請求項１】
プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
該メインバックワイヤードボードの該サブバックワイヤードボードと対向する面に複数のメインバックワイヤードボード側中継コネクタを設け、
該サブバックワイヤードボードの該メインバックワイヤードボードと対向する面に上記外線ケーブル用コネクタと電気的に接続された複数のサブバックワイヤードボード側中継コネクタを設け、
該プラグインユニット用コネクタは、該メインバックワイヤードボードを貫通する通常より長い長ピン端子を有し、
該メインバックワイヤードボード側中継コネクタは、該長ピン端子のうち該メインバックワイヤードボードを貫通している部分を端子とする構成であり、
上記メインバックワイヤードボードと該サブバックワイヤードボードとは、該複数のメインバックワイヤードボード側中継コネクタと該複数のサブバックワイヤードボード側中継コネクタとが嵌合して電気的に接続されたバックワイヤードボード組立体を構成し、
上記バックワイヤードボード組立体は、
上記複数のサブバックワイヤードボード側中継コネクタを、当初は上記サブバックワイヤードボードに、フローティング状態で仮固定し、
該サブバックワイヤードボードをその複数のサブバックワイヤードボード側中継コネクタを、上記メインバックワイヤードボード上の対応する複数のメインバックワイヤードボード側中継コネクタと一括して嵌合接続させて組み立てたものであること特徴とする通信装置。
【請求項２】
プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
該メインバックワイヤードボードの該サブバックワイヤードボードと対向する面に複数のメインバックワイヤードボード側中継コネクタを設け、
該サブバックワイヤードボードの該メインバックワイヤードボードと対向する面に上記外線ケーブル用コネクタと電気的に接続された複数のサブバックワイヤードボード側中継コネクタを設け、
該プラグインユニット用コネクタは、該メインバックワイヤードボードを貫通する通常より長い長ピン端子を有し、
該メインバックワイヤードボード側中継コネクタは、該長ピン端子のうち該メインバックワイヤードボードを貫通している部分を端子とする構成であり、
上記メインバックワイヤードボードと該サブバックワイヤードボードとは、該複数のメインバックワイヤードボード側中継コネクタと該複数のサブバックワイヤードボード側中継コネクタとが嵌合して電気的に接続されたバックワイヤードボード組立体を構成し、
上記バックワイヤードボード組立体は、
上記複数のサブバックワイヤードボード側中継コネクタを、当初は上記サブバックワイヤードボードに、フローティング状態で仮固定し、
上記メインバックワイヤードボードは、整列板によってピン端子が整列させられており、
該サブバックワイヤードボードをその複数のサブバックワイヤードボード側中継コネクタを、上記メインバックワイヤードボード上の対応する複数のメインバックワイヤードボード側中継コネクタと一括して嵌合接続させ、上記整列板を押し込んで組み立てたものであること特徴とする通信装置。
【請求項３】
上記複数のサブバックワイヤードボード側中継コネクタの上記サブバックワイヤードボードにフローティング状態での仮固定は、
該中継コネクタの端子が該サブバックワイヤードボードの孔に引っ掛かって緩く嵌合していることによりなされている構成としたものである請求項１又は２記載の通信装置。
【請求項４】
上記複数のサブバックワイヤードボード側中継コネクタの上記サブバックワイヤードボードにフローティング状態での仮固定は、
該中継コネクタの端子が該サブバックワイヤードボードの孔に緩く嵌合してこれを貫通しており、
端子の先端側がテープでもってとめてあることによりなされている構成としたものである請求項１又は２記載の通信装置。
【請求項５】
プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
該メインバックワイヤードボードの該サブバックワイヤードボードと対向する面に複数のメインバックワイヤードボード側中継コネクタを設け、
該サブバックワイヤードボードの該メインバックワイヤードボードと対向する面に上記外線ケーブル用コネクタと電気的に接続された複数のサブバックワイヤードボード側中継コネクタを設け、
該プラグインユニット用コネクタは、該メインバックワイヤードボードを貫通する通常より長い長ピン端子を有し、
該メインバックワイヤードボード側中継コネクタは、該長ピン端子のうち該メインバックワイヤードボードを貫通している部分を端子とする構成であり、
上記メインバックワイヤードボードと該サブバックワイヤードボードとは、該複数のメインバックワイヤードボード側中継コネクタと該複数のサブバックワイヤードボード側中継コネクタとが嵌合して電気的に接続されたバックワイヤードボード組立体を構成し、
上記バックワイヤードボード組立体は、
上記サブバックワイヤードボードに取り付けられていない上記複数のサブバックワイヤードボード側中継コネクタを、上記メインバックワイヤードボード上の複数のメインバックワイヤードボード側中継コネクタに個々に嵌合接続し、
上記サブバックワイヤードボードをガイドピンによってガイドさせて、該サブバックワイヤードボード側中継コネクタの背面側に突き出たピン端子に近づけ、上記サブバックワイヤードボードの貫通孔とピン端子を嵌合させて組み立てたものであること特徴とする通信装置。
【発明の詳細な説明】
【０００１】
【発明の属する技術分野】
本発明はシェルフ構造の通信装置に関する。
現在、北米の電話の通信網のうち幹線系には、通信装置の一つとしてシェルフ構造であるSONET MUX が多く使用されている。近年の通信需要の増大に伴い、SONET MUX の後継機として、SONET MUX にデータインターフェイス、ＡＴＭスイッチ等の機能を追加した異種機能統合通信装置が開発されつつある。異種機能が統合されると通信装置はサイズが大きくなる傾向にある。
【０００２】
ここで、通信装置が設置されるスペースは限られているため、通信装置はサイズが小さいことが重要である。よって、異種機能が統合されてもサイズが大きくならない構造の通信装置の実現が望まれている。
【０００３】
【従来の技術】
図１は、従来の通信装置１０の概略構造を示す。通信装置１０は、シェルフ構造であり、シェルフ本体１１の背面に、メインバックワイヤードボード１２とサブバックワイヤードボード１３とが固定してあり、更には、裏カバー１４が取り付けてあり、シェルフ本体１１内にプラグインユニット１５が挿入されて実装されており、裏側に外線ケーブル２１が接続されている構造である。Ｙ１はプラグインユニット１５の挿入方向であり、Ｘ１，Ｘ２は複数のプラグインユニット１５の並び方向である。Ｚ１，Ｚ２は通信装置１０の高さ方向である。
【０００４】
バックワイヤードボードをメインバックワイヤードボード１２とサブバックワイヤードボード１３とに分けているのは、プラグインユニット１５と外線ケーブル２１との電気的接続を、プラグインユニット１５の電気的接続と外線ケーブル１６の電気的接続とに分けたためである。即ち、プラグインユニット１５を電気的に接続する役割はメインバックワイヤードボード１２が担い、外線ケーブル１６を電気的に接続する役割はサブバックワイヤードボード１３が担うようにしたためである。
【０００５】
図２に併せて示すように、プラグインユニット１５はメインバックワイヤードボード１２の前面のプラグインユニット用コネクタ１６と接続されている。外線ケーブル２１は、裏カバー１４の開口窓１４ａを通してサブバックワイヤードボード１３上のコネクタ１７と接続されている。
図２に併せて示すように、メインバックワイヤードボード１２とサブバックワイヤードボード１３との間は、同軸ケーブル１８及びペアケーブルでもって電気的に接続されている。
【０００６】
【発明が解決しようとする課題】
メインバックワイヤードボード１２とサブバックワイヤードボード１３との間の電気的接続を同軸ケーブル１８等で行うと、各同軸ケーブル１８毎に端を接続するためのスペースが必要となる。
図３（Ａ）は異種機能統合通信装置１０Ａを、裏カバー１４Ａを取り外して背面側から見た図であり、図３（Ｂ）は同図（Ａ）中、Ｂ−Ｂ線に沿う断面図である。通信装置１０Ａは、従来の技術を踏襲しており、図３中、図１に示す構成部分と対応する部分には添字Ａを付した同一符号を付す。
【０００７】
メインバックワイヤードボード１２Ａとサブバックワイヤードボード１３Ａとの間の電気的接続は、同軸ケーブル１８Ａ及びペアケーブル１９でなされている。異種機能を統合したことによって、同軸ケーブル１８Ａ及びペアケーブル１９の本数は１，０００本に近い数となっており、同軸ケーブル１８Ａ及びペアケーブル１９の端を接続するためのスペースが増え、通信装置１０Ａは、高さ寸法が増えてＨ１＝約１６Ｕとなって、サイズが大型となってしまう。「Ｕ」は北米で使用されているシェルフの高さの単位であり、１，７５インチである。幅寸法Ｗ１は通信装置１０Ａがラックに収まるようにラックの幅寸法に対応する寸法とされている。
【０００８】
また、この同軸ケーブル１８Ａ及びペアケーブル１９の本数が増えると、同軸ケーブル１８Ａ及びペアケーブル１９を屈曲させて収容するための収容空間２０を確保するためにサブバックワイヤードボード１３Ａとメインバックワイヤードボード１２Ａとの間の間隔ａ１を約３０ｍｍと大きくとる必要があり、通信装置１０Ａは奥行き寸法も増えてＡ１となり、サイズが大型となってしまう。
【０００９】
そこで、本発明は上記課題を解決した通信装置を提供することを目的とする。
【００１０】
【課題を解決するための手段】
請求項１の発明は、プラグインユニットが複数並んで挿入されるシェルフ本体と、
プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
該メインバックワイヤードボードの該サブバックワイヤードボードと対向する面に複数のメインバックワイヤードボード側中継コネクタを設け、
該サブバックワイヤードボードの該メインバックワイヤードボードと対向する面に上記外線ケーブル用コネクタと電気的に接続された複数のサブバックワイヤードボード側中継コネクタを設け、
該プラグインユニット用コネクタは、該メインバックワイヤードボードを貫通する通常より長い長ピン端子を有し、
該メインバックワイヤードボード側中継コネクタは、該長ピン端子のうち該メインバックワイヤードボードを貫通している部分を端子とする構成であり、
上記メインバックワイヤードボードと該サブバックワイヤードボードとは、該複数のメインバックワイヤードボード側中継コネクタと該複数のサブバックワイヤードボード側中継コネクタとが嵌合して電気的に接続されたバックワイヤードボード組立体を構成し、
上記バックワイヤードボード組立体は、
上記複数のサブバックワイヤードボード側中継コネクタを、当初は上記サブバックワイヤードボードに、フローティング状態で仮固定し、
該サブバックワイヤードボードをその複数のサブバックワイヤードボード側中継コネクタを、上記メインバックワイヤードボード上の対応する複数のメインバックワイヤードボード側中継コネクタと一括して嵌合接続させて組み立てたものであること特徴とする。
【００２１】
請求項９の発明は、プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
上記プラグインユニット用コネクタのピン端子はプレスフィット部を２つ有する構成であり、
該ピン端子が該メインバックワイヤードボードに圧入され、更に上記サブバックワイヤードボードに向かって突き出ている先端が、該サブバックワイヤードボードに圧入されており、
該メインバックワイヤードボードと該サブバックワイヤードボードとは、上記プラグインユニット用コネクタのピン端子によって電気的に接続されている構成であり、
上記メインバックワイヤードボードと該サブバックワイヤードボードとは、上記メインバックワイヤードボードと上記サブバックワイヤードボードとを間隔をあけて固定し、独立した部品としてのピン端子を、１本づつ、プラグインユニット用コネクタのシュラウドを貫通し、該メインバックワイヤードボード及び該サブバックワイヤードボードに圧入させて組み立てたてられ、圧入された上記ピン端子によって電気的に接続されたバックワイヤードボード組立体を構成としたものである。
【００２６】
【発明の実施の形態】
図４乃至図１０は本発明の第１実施例になる異種機能統合通信装置５０を示す。異種機能統合通信装置５０は、機能的には、SONET MUX にデータインターフェイス、ＡＴＭスイッチ等の機能が追加されている構成であり、図５に示すように、トランスポート・コンプレックス７１と、サービス・コンプレックス７２と、スイッチング・コンプレックス７３と、シンクロナイゼーション・コンプレックス７４と、マネージメント・コンプレックス７５とよりなる回路構成を有する。トランスポート・コンプレックス７１はライン終端機能等を有する。サービス・コンプレックス７２はＴＲＩＢ終端機能等を有する。スイッチング・コンプレックス７３はＳＴＳ／ＶＴ／ＡＴＭセル単位でのＬＩＮＥ／ＴＲＩＢ間トラフィック接続機能等を有する。マネージメント・コンプレックス７５は装置内情報収集交換によるサーベーランス及び品質測定・性能評価機能等を有する。
【００２７】
通信装置５０は、この回路構成を構造化したものであり、特に図９に示すように、シェルフ構造であり、シェルフ本体５１の背面に、メインバックワイヤードボード５２とサブバックワイヤードボード５３とが固定してあり、更には、裏カバー５４が取り付けてあり、シェルフ本体５１内に複数のプラグインユニット５５がＹ１に挿入されて、Ｘ１，Ｘ２に並んで実装されており、裏側に顧客インタフェース外線ケーブル５６が接続してある。シェルフ本体５１の前面側には、実装されているプラグインユニット５５を覆うようにおりエアフィルタ５７が設けてあり、且つ、表面板５８が取り付けてある。シェルフ本体５１の上面側には、複数のファンユニット５９が取り付けてある。Ｘ１，Ｘ２は通信装置５０の幅方向、Ｙ１，Ｙ２は通信装置５０の奥行き方向、Ｚ１，Ｚ２は通信装置５０の高さ方向である。
【００２８】
複数のプラグインユニット５５は、メインバックワイヤードボード５２の前面のプラグインユニット用コネクタ６０と接続されており、Ｘ１，Ｘ２に並んでおり、図４に示すように、コンプレックス７１〜７５を構成している。
バックワイヤードボードは従来と同じくメインバックワイヤードボード５２とサブバックワイヤードボード５３とに分けてある。メインバックワイヤードボード５２はプラグインユニット５５が電気的に接続される場所を提供する役割を担っており、サブバックワイヤードボード５３は顧客インタフェース外線ケーブル５６が接続される場所を提供する役割を担っている。
【００２９】
図１０に示すように、サブバックワイヤードボード５３上には、ＤＳ３インタフェースコネクタ群８０と、ＤＳ１インタフェースコネクタ群８１と、ＬＡＮインタフェースコネクタ群８２が実装してある。ＤＳ３インタフェースコネクタ群８０は、上部に１８個、中央部に１８個のコネクタ８０ａが等ピッチでＸ１，Ｘ２に並んでいる構成である。ＤＳ１インタフェースコネクタ群８１は、上側と下側とに６個のコネクタ８１ａが横向きに並んでいる構成である。ＬＡＮインタフェースコネクタ群８２は、中央部に２４個のコネクタ８２ａが等ピッチでＸ１，Ｘ２に並んでいる構成である。サブバックワイヤードボード５３の部分が顧客インタフェース部を構成する。顧客インタフェース外線ケーブル５６は、先端のコネクタ６１が裏カバー５４の開口窓５４ａを通してサブバックワイヤードボード５３上のコネクタ８０ａ、８１ａ，８２ａと接続されている。
【００３０】
後述するように、メインバックワイヤードボード５２とサブバックワイヤードボード５３とが、ケーブルを使用しないで、コネクタ接続されている。メインバックワイヤードボード５２とサブバックワイヤードボード５３とはコネクタ接続されて、バックワイヤードボード組立体９０を構成している。この構成によって、メインバックワイヤードボード５２とサブバックワイヤードボード５３にはケーブルの端を接続するためのスペースが必要でなくなり、よって、SONET MUX にデータインターフェイス、ＡＴＭスイッチ等の機能が追加されてメインバックワイヤードボード５２とサブバックワイヤードボード５３との間の電気的接続の箇所は１，０００箇所以上と多くなっているけれども、メインバックワイヤードボード５２とサブバックワイヤードボード５３はサイズが特別に大きくならないで済んでいる。
【００３１】
よって、通信装置５０は、高さ寸法はＨ２＝１０Ｕで足り、メインバックワイヤードボードとサブバックワイヤードボードとをケーブルで接続する従来の技術を利用する場合に比べて、６Ｕも低く、高さ方向で小型化が図られている。よって、通信装置５０は、図８に示すように、北米で標準である７フィートラック２００に、３台搭載可能である。
【００３２】
通信装置５０の幅寸法Ｗ２はラックの幅寸法に対応する寸法であり、Ｗ２＝Ｗ１である。
メインバックワイヤードボード５２とサブバックワイヤードボード５３とがコネクタ接続されているため、サブバックワイヤードボード５３とメインバックワイヤードボード５２との間の空間６３の間隔ａ２は、従来の場合の約３０ｍｍの約半分の約１７ｍｍで足りる。よって、通信装置５０は、奥行き寸法Ａ２が従来より約１３ｍｍ短く、奥行き方向でも小型化が図られている。このため、通信装置５０を背面側を向き合わせて配置した場合に、通信装置間の作業者の通路を広くとれる。
【００３３】
次に、バックワイヤードボード組立体９０について説明する。
先ず、メインバックワイヤードボード５２について説明する。メインバックワイヤードボード５２には、図１１（Ｄ）及び図１４に示すコネクタ装置９１が設けてある。コネクタ装置９１は、Ｙ２方向の面側のプラグインユニット用コネクタ６０と、Ｙ１方向の面側の中継コネクタ９２（図１０参照）とよりなる。
【００３４】
コネクタ装置９１を製造するには、図１１（Ａ）に示すメトリックコネクタ９３を用意する。メトリックコネクタ９３は、シュラウド９３ａと、シュラウド９３ａを貫通している通常より長いピン端子９３ｂを有する。このピン９３ｂは途中の部位にプレスフィット部９３ｂ１を有する。
図１１（Ｂ）に示すように、このメトリックコネクタ９３のピン９３ｂをメインバックワイヤードボード５２の貫通孔５２ａを嵌合し貫通させ、プレスフィット部９３ｂ１を貫通孔５２ａ内に圧入する。これによって、メトリックコネクタ９３がメインバックワイヤードボード５２にしっかり固定される。
【００３５】
次いで、図１１（Ｃ）に示すように、整列板９４をメインバックワイヤードボード５２よりＹ１方向に突き出ているピン端子９３ｂに嵌合させて、ピン端子９３ｂの先端を所定の並びに整列させる。この状態で、図１１（Ｄ）に示すように、シュラウド９５をピン端子９３ｂに嵌合させて、Ｙ２方向に圧入する。整列板９４によってピン端子９３ｂの先端が整列されており、シュラウド９５は全部のピン端子９３ｂに確実に嵌合する。ピン９３ｂはシュラウド９５内に突出し、整列板９４はメインバックワイヤードボード５２の面側に寄せられ、シュラウド９５の孔９５ａが整列板９４より突き出ている対をなす指状凸部９４ａと圧入され、指状凸部９４ａがピン端子９３ｂをクランプし、シュラウド９５が固定される。
【００３６】
メトリックコネクタ９３のメインバックワイヤードボード５２よりＹ２方向側の部分がプラグインユニット用コネクタ６０を構成する。
シュラウド９５とシュラウド９５内に突出しているピン端子９３ｂとが、中継コネクタ９２を構成する。
図１１では図示の便宜上、プラグインユニット用コネクタ６０のシュラウド９３ａと中継コネクタ９２のシュラウド９５とが同じ向きとしてあるけれども、実際には、図１０に示すように、プラグインユニット用コネクタ６０は、シュラウド９３ａの長手方向がＺ１，Ｚ２方向であり、中継コネクタ９２は、シュラウド９５の長手方向がＸ１，Ｘ２方向であり、Ｙ方向からみて直交している。中継コネクタ９２のシュラウド９５の長手方向がＸ１，Ｘ２方向であるのは、サブバックワイヤードボード５３のＹ１側の面上の中継コネクタ９６の向きと合わせているからである。
【００３７】
図１０、１２（Ａ）、図１４に示すように、サブバックワイヤードボード５３のＹ１側の面上には、中継コネクタ９６が取り付けてある。中継コネクタ９６は上記の中継コネクタ９２と対をなすものであり、ＤＳ３インタフェースコネクタ群８０等に合わせて長手方向をＸ１，Ｘ２方向の向きとして、上側と下側とに８個づつ並んでいる。
【００３８】
各中継コネクタ９６は、サブバックワイヤードボード５３内の配線パターンを介して各コネクタ８０ａ，８１ａ，８２ａと電気的に接続されている。
バックワイヤードボード組立体９０は、図１２（Ｃ）に示すように、全部の中継コネクタ９６が対応する中継コネクタ９２と嵌合され接続されて、サブバックワイヤードボード５３とメインバックワイヤードボード５２とがコネクタ接続されて電気的に接続されている構成である。ここで、中継コネクタ９６は、ハウジングの材質、各部の寸法を適宜定めてあり、各端子が所定のインピーダンスを有しており、中継コネクタ９６と中継コネクタ９２との嵌合接続はインピーダンスが整合された状態でなされている。また、中継コネクタ９６と中継コネクタ９２との嵌合接続は、サブバックワイヤードボード５３とメインバックワイヤードボード５２とを機械的に結合する作用もしている。
【００３９】
サブバックワイヤードボード５３のメインバックワイヤードボード５２へのコネクタ接続については後述する。
プラグインユニット５５は、図１３（Ａ），（Ｂ）に示すように、挿入方向先端側のコネクタ９７を、プラグインユニット用コネクタ６０と嵌合され接続されて、実装されている。
【００４０】
実装されたプラグインユニット５５と顧客インタフェース外線ケーブル５６とは、図１３（Ｂ）及び図１４に示すように、プラグインユニット用コネクタ６０→中継コネクタ９２→中継コネクタ９６→サブバックワイヤードボード５３→コネクタ８０ａ（８１ａ，８２ａ）を経て電気的に接続されている。
次に、バックワイヤードボード組立体９０の組み立て、即ち、サブバックワイヤードボード５３のメインバックワイヤードボード５２へのコネクタ接続について説明する。
【００４１】
バックワイヤードボード組立体９０に際しては、図１６に示すように中継コネクタ９６をサブバックワイヤードボード５３に仮固定する。
中継コネクタ９６のピン端子９８は、断面が略８の字形状のプレスフィット部９８ａを有する。サブバックワイヤードボード５３には、半田付け用スルーホール５３ａが形成してある。１００はプレスフィット部９８ａがプレスフィットされる場合のプレスフィット用のスルーホールであり、径ｄ２は０．６ｍｍである。半田付け用スルーホール５３ａは、径ｄ１が０．８５ｍｍであり、上記のプレスフィット用のスルーホール１００の径ｄ２より大きく、プレスフィット部９８ａが弾性変形せずに丁度嵌合する大きさである。
【００４２】
中継コネクタ９６は、ピン端子９８をサブバックワイヤードボード５３の半田付け用スルーホール５３ａを貫通させて取り付けてある。プレスフィット部９８ａが半田付け用スルーホール５３ａの内周面に軽く当たって引っ掛かった状態にあり、サブバックワイヤードボード５３を水平の姿勢とし、中継コネクタ９６が下側を向く状態とされても、中継コネクタ９６は外れて落ちない状態となっている。しかも、プレスフィット部９８ａと半田付け用スルーホール５３ａとの間に十分な隙間１０１が存在することによって、ピン端子９８は、半田付け用スルーホール５３ａを中心に垂直線Ｚを中心に左右方向に夫々角度α（約１０度）の範囲で首を振れるフローティング状態となる。
【００４３】
よって、中継コネクタ９６は、垂直線Ｚを中心にその短辺の方向に角度β（数度）の範囲で自由に首を振る状態で、サブバックワイヤードボード５３に仮固定されている。仮固定は、特に補助部材を使用しないでなされている。
バックワイヤードボード組立体９０は、図１５（Ａ）に示すように、コネクタ装置９０が設けてあるメインバックワイヤードボード５２を、そのガイド孔をガイドピン１１１に嵌合させて、プレス治具１１０上にセットする。次いで、図１２（Ａ），（Ｂ），及び図１７に併せて示すように、整列板１１２を、全部の中継コネクタ９２に浅く嵌合させる。整列板１１２は、多数の孔１１３が中継コネクタ９２のピン９３ｂの理想の並びで整列しており、且つ、各孔の入口側がテーパ状となっているものである。整列板１１２を中継コネクタ９２に浅く嵌合させると、曲がっていたピンも修正されて全部のピン９３ｂの先端が理想の位置から±０．０５ｍｍ以内の誤差範囲内に収まった所定の並びに整列せしめられる。
【００４４】
次に、図１５（Ｂ）に示すように、作業者が両手で中継コネクタ９２が仮固定されたサブバックワイヤードボード５３を持って、中継コネクタ９６が下を向く姿勢として、そのガイド孔をガイドピン１１１に嵌合させて、静かに降ろし、図１５（Ｃ）に示すように、メインバックワイヤードボード５２上に重ねる。全部の中継コネクタ９５が対応する中継コネクタ９２の入口部に嵌合した状態となる。
【００４５】
次いで、図１５（Ｄ）に示すように、プレス治具１１４をサブバックワイヤードボード５３上にセットし、プレス機（図示せず）にセットし、圧力Ｐを加え、２４個全部の中継コネクタ９６を一括して対応する中継コネクタ９２に嵌合させる。
中継コネクタ９６は整列板１１２を押し込みながら中継コネクタ９２に嵌合される。整列板１１２の厚みの分、中継コネクタ９６の中継コネクタ９２への嵌合深さが浅くなるけれども、整列板１１２の厚さは１ｍｍと薄いため、コンタクト９８ｂはピン９３ｂと正常に接続される。
【００４６】
中継コネクタ９６がフローティング状態にあるため、各中継コネクタ９６は対向する中継コネクタ９２に対応して適宜振らされて、シュラウド９５と整合するようにされる。即ち、対応する中継コネクタ９６と中継コネクタ９２との間の位置ずれが吸収される。よって、２４個全部の中継コネクタ９６を一括して対応する中継コネクタ９２に正常に嵌合される。中継コネクタ９６がシュラウド９５に合わされるため、中継コネクタ９２に対するずれ量が大きい中継コネクタ９６についてもシュラウド９５に過度の応力を発生させることはなく、シュラウド９５が割れる事故は起きない。
【００４７】
また、整列板１１２によって全部のピン９３ｂの先端が理想の位置から±０．０５ｍｍ以内の誤差範囲内に収まった所定の並びに整列せしめられいるため、ピンが１本でも曲がって接続がされなくなってしまうことが起きず、約１，８００本全部のピン９３ｂが中継コネクタ９６の孔内に相対的に信頼性高く侵入されて、ピン端子９８の先端側のコンタクト９８ｂと正常に且つ高い信頼性で接続される。
【００４８】
プレス治具１１４を使用することによって、サブバックワイヤードボード５３が傾かずに水平に保たれ、２４個全部の中継コネクタ９６に平均して圧力が加えられる。このことによっても、２４個全部の中継コネクタ９６が一括して対応する中継コネクタ９２と接続される動作が信頼性良く行われる。
この後、メインバックワイヤードボード５２に分散して立てて設けてある間隔ボルト１１５の上端にねじを締め、サブバックワイヤードボード５３をメインバックワイヤードボード５２と固定する。
【００４９】
この後、ロボットで中継コネクタ９６のピン端子９８をサブバックワイヤードボード５３の半田付け用スルーホール５３ａに半田付けする。１１６は半田付け部を示す。
以上で、バックワイヤードボード組立体９０が完成する。
次に、中継コネクタ９６をサブバックワイヤードボード５３にフローティング状態に仮固定する第２、第３の例について説明する。
【００５０】
図１８は第２の例を示す。中継コネクタ９６は、ピン端子９８をサブバックワイヤードボード５３の半田付け用スルーホール５３ａ１に貫通させ、接着テープ１２０をピン端子９８の先端を覆うようにしてサブバックワイヤードボード５３の上面に接着することによって、半田付け用スルーホール５３ａ１を貫通したピン端子９８の先端が接着テープ１２０と接着されて仮固定されている。仮固定がピン端子９８の先端と接着テープ１２０との接着によってなされているため、半田付け用スルーホール５３ａ１は図１６に示す摩擦を利用した仮固定の場合の半田付け用スルーホール５３ａより少し大きくしてある。径ｄ３は１ｍｍである。よって、ピン端子９８が垂直線Ｚを中心に左右方向に首を振れる角度α１は上記の場合より増して、約２０度となる。よって、中継コネクタ９６は、垂直線Ｚを中心にその短辺の方向に前記の構成の場合より大きい角度β１（約１０度）の範囲で自由に首を振る状態で、サブバックワイヤードボード５３に仮固定されている。
【００５１】
図１９は第３の例を示す。接着テープ１２０に代えて、多数の孔１２１ａがピン端子９８と同じ配列で並んでいるシート１２１を使用している。シート１２１は、孔１２１ａがサブバックワイヤードボード５３の半田付け用スルーホール５３ａ１を貫通したピン端子９８の先端に嵌合して、容易には外れない状態で取り付けてある。中継コネクタ９６は、図１９に示す場合と同程度に首を振る状態で、サブバックワイヤードボード５３に仮固定されている。
【００５２】
次にバックワイヤードボード組立体の別の例について説明する。
〔第２の例〕（図２０、２１参照）
図２０は第２の例になるバックワイヤードボード組立体９０Ａを示す。バックワイヤードボード組立体９０Ａは、図２１に示すように、メインバックワイヤードボード５２には２４個分の中継コネクタ９２が平面的に一体化された大きさの中継コネクタ９２Ａが設けてあり、サブバックワイヤードボード５３には同じく２４個分の中継コネクタ９６が平面的に一体化された大きさの中継コネクタ９６Ａが設けてあり、中継コネクタ９２Ａと中継コネクタ９６Ａとが接続されている構成である。
【００５３】
中継コネクタ９２Ａは、２４個分の整列板９４が一体化された大きさの整列板９４Ａと、整列板９４Ａと対応する大きさのシュラウド９５Ａとよりなる。
サブバックワイヤードボード５３の中継コネクタ９６Ａは、中継コネクタ９２Ａに、２４個分の整列板１１２が一体化された大きさの整列板１１２Ａを嵌合させてピン９３ｂの先端を整列させた状態で、プレス機を使用して、中継コネクタ９２Ａと接続される。
【００５４】
ここで、中継コネクタ９２Ａが１つであり、中継コネクタ９６Ａも１つであるため、中継コネクタ９２Ａの全部のピン９３ｂが中継コネクタ９６Ａの対応するコンタクトの孔を対応し、中継コネクタ９６Ａと中継コネクタ９２Ａとは円滑に嵌合する。
〔第３の例〕（図２２、２３、２４参照）
図２２は第３の例になるバックワイヤードボード組立体９０Ｂを示す。バックワイヤードボード組立体９０Ｂは、メインバックワイヤードボード５２とサブバックワイヤードボード５３とが、中継コネクタ９２と中継コネクタ９６Ｂとが接続され、間隔ボルト１１５とねじによって固定されている構成である。図１２に示す整列板１１２が存在せず、サブバックワイヤードボード５３とメインバックワイヤードボード５２との間の空間６３の間隔ａ３は、図６及び図７に示すバックワイヤードボード組立体９０よりも１ｍｍ少なく、約１６ｍｍである。整列板１１２が不要となっているのは、組み立て方法が整列板を必要としない方法であるからである。
【００５５】
バックワイヤードボード組立体９０Ｂは、図２３（Ａ）に示すように、コネクタ装置９０が設けてあるメインバックワイヤードボード５２を、そのガイド孔をガイドピン１１１に嵌合させて、プレス治具１１０上にセットする。次いで、図２３（Ｂ）に示すように、図２４に示す中継コネクタ９６Ｂを一つづつ各中継コネクタ９２に嵌合させる。この際には、整列板は使用しない。ピン端子９８Ｂは上を向いている。
【００５６】
次に、図２３（Ｃ）に示すように、作業者が両手でサブバックワイヤードボード５３を持って、そのガイド孔をガイドピン１１１に嵌合させて、静かに降ろし、各半田付け用スルーホール５３ａ２を対応するピン端子９８Ｂに嵌合させる。各半田付け用スルーホール５３ａ２は大きめの径を有しており、且つピン端子９８Ｂは尖った先端９８Ｂａを有しており、各半田付け用スルーホール５３ａ２と対応するピン端子９８Ｂとの嵌合は円滑になされる。
【００５７】
この後、ねじを締めてサブバックワイヤードボード５３を間隔ボルト１１５に固定し、続いて、ロボットで中継コネクタ９６Ｂのピン端子９８Ｂをサブバックワイヤードボード５３の半田付け用スルーホール５３ａ１に、符号１１６で示すように半田付けする。
上記より分かるように、バックワイヤードボード組立体９０Ｂはプレス機を使用しないで組み立てられる。
【００５８】
なお、中継コネクタ９６Ｂに代えて、図１２に示す中継コネクタ９６を使用してもよい。
〔第４の例〕（図２５〜３０参照）
図２５は第４の例になるバックワイヤードボード組立体９０Ｃを示す。バックワイヤードボード組立体９０Ｃは、メインバックワイヤードボード５２とサブバックワイヤードボード５３とが間隔ボルト１１５とねじによって間隔をあけて固定されており、コネクタ９３Ｃ（コネクタ６０）のピン端子９３Ｃｂによって接続されている構成である。サブバックワイヤードボード５３の上面には、図２７に示す挿入補正スペーサ１３０が固定してある。図１０、２０、２２に示すバックワイヤードボード組立体９０，９０Ａ，９０Ｂのようにメインバックワイヤードボード５２側の中継コネクタ９２及びサブバックワイヤードボード５３側の中継コネクタ９６が存在しないため、メインバックワイヤードボード５２とサブバックワイヤードボード５３との間の空間６３の間隔ａ４は３〜７ｍｍであり、図図１０、２０、２２に示すバックワイヤードボード組立体９０，９０Ａ，９０Ｂよりも約１０ｍｍ少ない。よって、このバックワイヤードボード組立体９０Ｃを使用することによって、図４に示す奥行き寸法Ａ２が１２インチよりもより短い通信装置５０が実現可能である。
【００５９】
図２６に示すように、コネクタ９３Ｃは、シュラウド９３Ｃａにピン端子９３Ｃｂが貫通している構成である。ピン端子９３Ｃｂは、プレスフィット部を２つ有する構成の二段アクションピン端子であり、上端から順に、ピン端子部９３Ｃｂ１、シュラウド９３Ｃａへの挿入部９３Ｃｂ２、第１のプレスフィット部９３Ｃｂ３、ピン部９３Ｃｂ４、第２のプレスフィット部９３Ｃｂ５、先端部９３Ｃｂ６を有する。第２のプレスフィット部９３Ｃｂ５のサイズは第１のプレスフィット部９３Ｃｂ３のサイズより若干小さい。ピン端子９３Ｃｂは、挿入部９３Ｃｂ２をシュラウド９３Ｃａの貫通孔に圧入固定されており、シュラウド９３Ｃａより下方に、第１のプレスフィット部９３Ｃｂ３、ピン部９３Ｃｂ４、第２のプレスフィット部９３Ｃｂ５、先端部９３Ｃｂ６が突き出ている。
【００６０】
メインバックワイヤードボード５２は、第１のプレスフィット部９３Ｃｂ３のサイズに対応した径のプレスフィット用スルーホール５２ｂを有し、サブバックワイヤードボード５３は、第２のプレスフィット部９３Ｃｂ５のサイズに対応した径のプレスフィット用スルーホール５３ｂを有する。プレスフィット用スルーホール５３ｂの径は、プレスフィット用スルーホール５２ｂの径より少し小さい。
【００６１】
第１のプレスフィット部９３Ｃｂ３がメインバックワイヤードボード５２のプレスフィット用スルーホール５２ｂに圧入されており、第２のプレスフィット部９３Ｃｂ５がサブバックワイヤードボード５３のプレスフィット用スルーホール５３ｂに圧入されており、ピン部９３Ｃｂ４が空間６３を横切っている。先端部９３Ｃｂ６はサブバックワイヤードボード５３より突き出ている。
【００６２】
次に上記バックワイヤードボード組立体９０Ｃの組み立てについて説明する。先ず、図２８（Ａ）に示すように、メインバックワイヤードボード５２と、挿入補正スペーサ１３０が固定してあるサブバックワイヤードボード５３とを、サブバックワイヤードボード５３の下面に当てがった補助ボード１３１と共に、間隔ボルト１１５とねじによって間隔をあけて固定する。これをプレス機１３２の治具１３２の上に置き、コネクタ９３Ｃをメインバックワイヤードボード５２に図２８（Ｂ）及び図２９（Ａ）に示すようにセットする。コネクタ９３Ｃは、第２のプレスフィット部９３Ｃｂ５がメインバックワイヤードボード５２のプレスフィット用スルーホール５２ｂを貫通し、第２のプレスフィット部９３Ｃｂ３がメインバックワイヤードボード５２のプレスフィット用スルーホール５２ｂの入口に係止された状態とされる。先端部９３Ｃｂ６は挿入補正スペーサ１３０のテーパ付きガイド孔１３０ａと対向している。場合によっては、先端部９３Ｃｂ６はテーパ付きガイド孔１３０ａのテーパ部によって案内されてサブバックワイヤードボード５３のプレスフィット用スルーホール５３ｂに入り込んでいる。
【００６３】
挿入補正スペーサ１３０は、そのテーパ付きガイド孔１３０ａによって、先端部９３Ｃｂ６をサブバックワイヤードボード５３のプレスフィット用スルーホール５３ｂ内に導くようにするために設けてある。
補助ボード１３１は、サブバックワイヤードボード５３のプレスフィット用スルーホール５３ｂに対応してこれより大きめの貫通孔１３１ａが形成してあり、圧入によってサブバックワイヤードボード５３より下方に突き出た先端部９３Ｃｂ６を受け入れるために設けてある。
【００６４】
プレス機１３２は、セットされたコネクタ９３Ｃ毎に押し下げラム１３４を有し、各押し下げラム１３４が独立して動作する構成である。
次に、プレス機１３２が動作され、図２８（Ｃ）に示すように、押し下げラム１３４がセットされたコネクタ９３Ｃを一つづつ押し下げる。これにより、図２９（Ｂ）に示すようになる。第１のプレスフィット部９３Ｃｂ３はメインバックワイヤードボード５２のプレスフィット用スルーホール５２ｂに圧入され、第２のプレスフィット部９３Ｃｂ５はサブバックワイヤードボード５３のプレスフィット用スルーホール５３ｂに圧入される。シュラウド９３Ｃａはメインバックワイヤードボード５２の上面に当接する。先端部９３Ｃｂ６はテーパ付きガイド孔１３０ａによってサブバックワイヤードボード５３のプレスフィット用スルーホール５３ｂ内に導かれ、プレスフィット用スルーホール５３ｂを貫通して、サブバックワイヤードボード５３より下方に突き出て補助ボード１３１の厚さ内に収まる。
【００６５】
コネクタ９３Ｃを一つづつ押し下げるため、押し下げラム１３４の押し下げ力Ｐ１は小さくて足りる。
全部のコネクタ９３Ｃを圧入したのちに、図２８（Ｄ）に示すように、補助ボード１３１を取外し、再度ねじを締めることによって、図２８（Ｅ）に示すバックワイヤードボード組立体９０Ｃが得られる。
【００６６】
バックワイヤードボード組立体９０Ｂの組み立ては能率良く安定に行われる。
図３０は上記バックワイヤードボード組立体９０Ｃの別の組み立て方法を示す。
プレスフィットを２つ有するピン端子９３Ｃｂを一本づつ圧入する単ピン圧入装置を使用する。
【００６７】
最初の準備段階は、図２８（Ａ）に示すと同じであり、図３０（Ａ）に示すように、メインバックワイヤードボード５２と、挿入補正スペーサ１３０が固定してあるサブバックワイヤードボード５３とを、サブバックワイヤードボード５３の下面に当てがった補助ボード１３１と共に、間隔ボルト１１５とねじによって間隔をあけて固定する。次いで、これを単ピン圧入装置にセットし、上面にシュラウド９３Ｃａを置き、ピン端子９３Ｃｂを一本づつシュラウド９３Ｃａの上方から、図３０（Ｂ），（Ｃ）に示すように、シュラウド９３Ｃａ、メインバックワイヤードボード５２を突き通して、サブバックワイヤードボード５３にまで圧入する。
【００６８】
これによって、図３０（Ｃ）に示すように、バックワイヤードボード組立体９０Ｃが製造される。
独立した部品としてのピン端子９３Ｃｂを１本づつ圧入させるため、圧入力が小さくて足り、サブバックワイヤードボード５３等を支える補強板は不要である。
【００６９】
〔第５の例〕（図３１参照）
図３１は第５の例になるバックワイヤードボード組立体９０Ｄを示す。メインバックワイヤードボード５２とサブバックワイヤードボード５３とが間隔ボルト１１５とねじによって間隔をあけて固定されている。メインバックワイヤードボード５２の上面に固定してあるコネクタ９３Ｄ（コネクタ６０）のピン端子９３Ｄｂの先端（下端）が、サブバックワイヤードボード５３の上面の中継コネクタ９６と接続されている。メインバックワイヤードボード５２とサブバックワイヤードボード５３とは、コネクタ９３Ｄ（コネクタ６０）のピン端子９３Ｄｂと中継コネクタ９６とによって電気的に接続されている。
【００７０】
〔第６の例〕（図３２参照）
図３２は第６の例になるバックワイヤードボード組立体９０Ｅを示す。メインバックワイヤードボード５２とサブバックワイヤードボード５３とが間隔ボルト１１５とねじによって間隔をあけて固定されている。メインバックワイヤードボード５２の上面に固定してあるコネクタ９３Ｅ（コネクタ６０）のピン端子９３Ｅｂは、メインバックワイヤードボード５２の下面の整列板１４０によって整列されている。ピン端子９３Ｅｂの先端（下端）が、サブバックワイヤードボード５３の貫通孔５３ｃを貫通し、導電性接着剤１４２によって接続されている。導電性接着剤１４２に代えて、半田を用いてもよい。
【００７１】
【発明の効果】
以上説明したように、請求項１の発明によれば、プラグインユニットが複数並んで挿入されるシェルフ本体と、
該シェルフ本体の背面に固定してあるメインバックワイヤードボードと、
該メインバックワイヤードボードより更に背面側に位置しているサブバックワイヤードボードとよりなり、
該メインバックワイヤードボードには、その内側の面に、挿入されたプラグインユニットと接続されるプラグインユニット用コネクタが並んで取り付けてあり、
該サブバックワイヤードボードには、その外側の面に、外線ケーブルの端が接続される外線ケーブル用コネクタが並んで取り付けてあり、
該メインバックワイヤードボードのプラグインユニット用コネクタと該サブバックワイヤードボードの外線ケーブル用コネクタとが電気的に接続されている構成の通信装置において、
該メインバックワイヤードボードの該サブバックワイヤードボードと対向する面に複数のメインバックワイヤードボード側中継コネクタを設け、
該サブバックワイヤードボードの該メインバックワイヤードボードと対向する面に上記外線ケーブル用コネクタと電気的に接続された複数のサブバックワイヤードボード側中継コネクタを設け、
該プラグインユニット用コネクタは、該メインバックワイヤードボードを貫通する通常より長い長ピン端子を有し、
該メインバックワイヤードボード側中継コネクタは、該長ピン端子のうち該メインバックワイヤードボードを貫通している部分を端子とする構成であり、
上記メインバックワイヤードボードと該サブバックワイヤードボードとは、該複数のメインバックワイヤードボード側中継コネクタと該複数のサブバックワイヤードボード側中継コネクタとが嵌合して電気的に接続されたバックワイヤードボード組立体を構成し、
上記バックワイヤードボード組立体は、
上記複数のサブバックワイヤードボード側中継コネクタを、当初は上記サブバックワイヤードボードに、フローティング状態で仮固定し、
該サブバックワイヤードボードをその複数のサブバックワイヤードボード側中継コネクタを、上記メインバックワイヤードボード上の対応する複数のメインバックワイヤードボード側中継コネクタと一括して嵌合接続させて組み立てたものである構成であるため、メインバックワイヤードボードとサブバックワイヤードボードとに同軸ケーブルの端を接続するためのスペースが必要で無くなり、よって、無駄な部分が無くなって、通信装置の機能が増えた場合にも、メインバックワイヤードボード及びサブバックワイヤードボードの大きさを特別に大きくする必要がなくなり、また、メインバックワイヤードボードとサブバックワイヤードボードとの間隔を狭く出来、よって、機能が増えたにもかかわらず高さ寸法及び奥行き寸法が小さい、小型の通信装置を実現出来る。
更に、バックワイヤードボード組立体は中継コネクタ同士を接続させて構成してあるため、バックワイヤードボード組立体の組み立てを簡単に行うことが出来る。
更に、複数のサブバックワイヤードボード側中継コネクタを、当初はサブバックワイヤードボードに、フローティング状態で仮固定し、サブバックワイヤードボードをその複数のサブバックワイヤードボード側中継コネクタを、上記メインバックワイヤードボード上の対応する複数のメインバックワイヤードボード側中継コネクタと一括して嵌合接続させて組み立てたものであるため、フローティング状態であることによって、サブバックワイヤードボード側中継コネクタがメインバックワイヤードボード側中継コネクタに合わせられ、両者の位置ずれが吸収され、これによって、コネクタのシュラウドに過度の応力及び割れ等を発生させずに、複数の中継コネクタを一括して嵌合接続させることが出来る。
【００７３】
請求項２の発明は、複数のサブバックワイヤードボード側中継コネクタをフローティング状態で仮固定してあることによって、サブバックワイヤードボード側中継コネクタがメインバックワイヤードボード側中継コネクタに合わせられ、両者の位置ずれが吸収され、また、整列板によってピン端子が整列させられているため、全部のピン端子が正常に接続されるようになって、曲がって接続されないピン端子が１本も発生しなくなり、これによって、複数の中継コネクタの一括嵌合接続を高い信頼性で行うことが出来る。
【００７４】
請求項３の発明は、上記複数のサブバックワイヤードボード側中継コネクタの上記サブバックワイヤードボードにフローティング状態での仮固定は、該中継コネクタの端子が該サブバックワイヤードボードの孔に引っ掛かって緩く嵌合していることによりなされている構成としたものであるため、特に補助部材を使用しないで、仮固定が出来る。
【００７５】
請求項４の発明は、上記複数のサブバックワイヤードボード側中継コネクタの上記サブバックワイヤードボードにフローティング状態での仮固定は、該中継コネクタの端子が該サブバックワイヤードボードの孔に緩く嵌合してこれを貫通している端子の先端側がテープでもってとめてあることによりなされている構成としたものであるため、サブバックワイヤードボードの孔を大きく出来、よって、フローティングの程度を大きくすることが可能となり、サブバックワイヤードボード側中継コネクタとメインバックワイヤードボード側中継コネクタとの位置ずれが大きい場合にも対応が可能となる。
【００７６】
請求項５の発明は、サブバックワイヤードボード側中継コネクタを、上記メインバックワイヤードボード上の複数のメインバックワイヤードボード側中継コネクタに個々に嵌合接続し、サブバックワイヤードボードをガイドピンによってガイドさせて、該サブバックワイヤードボード側中継コネクタの背面側に突き出たピン端子に近づけ、上記サブバックワイヤードボードの貫通孔とピン端子を嵌合させて組み立てたものであるため、サブバックワイヤードボード側中継コネクタをメインバックワイヤードボード上の複数のメインバックワイヤードボード側中継コネクタに個々に嵌合接続するため、整列板が不要となり、この分、メインバックワイヤードボードとサブバックワイヤードボードとの間隔を狭く出来、また、プレス機を使用しないでバックワイヤードボード組立体を組み立てることが出来る。
【図面の簡単な説明】
【図１】従来の通信装置の構造を示す分解斜視図である。
【図２】図１の通信装置のバックボードの部分を拡大して示す平面図である。
【図３】従来の異種機能統合通信装置を示す図である。
【図４】本発明の第１実施例の異種機能統合通信装置を示す図である。
【図５】図４の通信装置のブロック図である。
【図６】図４の通信装置を示す図である。
【図７】図５（Ｂ）を詳しく示す図である。
【図８】図４の通信装置がラックに取り付けられた状態を背面側からみて示す図である。
【図９】図４の通信装置を分解して示す図である。
【図１０】図４の通信装置を背面側からみて分解して示す図である。
【図１１】メインバックワイヤードボードへの中継コネクタの組み付けを説明する図である。
【図１２】メインバックワイヤードボードとサブバックワイヤードボードとの電気的接続を示す図である。
【図１３】プラグインユニットのバックワイヤードボードへの接続を示す図である。
【図１４】プラグインユニットから外線ケーブルに到る電気的接続を示す図である。
【図１５】バックワイヤードボード組立体の組み立て方法を説明する図である。
【図１６】中継コネクタのサブバックワイヤードボードへの仮固定を説明する図である。
【図１７】バックワイヤードボード上の中継コネクタ同士の嵌合接続を説明する図である。
【図１８】サブバックワイヤードボードへの中継コネクタの仮固定の第２の例を示す図である。
【図１９】サブバックワイヤードボードへの中継コネクタの仮固定の第３の例を示す図である。
【図２０】第２の例のバックワイヤードボード組立体を示す図である。
【図２１】図２０のバックワイヤードボード組立体の分解斜視図である。
【図２２】第３の例のバックワイヤードボード組立体を示す図である。
【図２３】第３の例のバックワイヤードボード組立体の組み立て方法を示す図である。
【図２４】図２３中の中継コネクタを示す図である。
【図２５】第４の例のバックワイヤードボード組立体を示す図である。
【図２６】図２５のバックワイヤードボード組立体の一部を分解して示す図である。
【図２７】挿入補正スペーサの斜視図である。
【図２８】図２５のバックワイヤードボード組立体の組み立て方法を示す図である。
【図２９】図２８（Ｂ），（Ｃ）の一部を拡大して示す図である。
【図３０】図２５のバックワイヤードボード組立体の別の組み立て方法を示す図である。
【図３１】第５の例のバックワイヤードボード組立体を示す図である。
【図３２】第６の例のバックワイヤードボード組立体を示す図である。
【符号の説明】
５０  異種機能統合通信装置
５１  シェルフ本体
５２  メインバックワイヤードボード
５３  サブバックワイヤードボード
５３ａ  半田付け用スルーホール
５４  裏カバー
５５  プラグインユニット
５６  顧客インタフェース外線ケーブル
６３  空間
８０  ＤＳ３インタフェースコネクタ群
８１  ＤＳ１インタフェースコネクタ群
８２  ＬＡＮインタフェースコネクタ群
９０、９０Ａ〜９０Ｅ  バックワイヤードボード組立体
９１  コネクタ装置
９２，９６  中継コネクタ装置
９３、９３Ｃ  コネクタ
９３Ｃｂ  ピン端子
９４，１１２  整列板
１１５  間隔ボルト
１２０  接着テープ
１２１  シート
【図１】
0003701481.tif 000002
【図２】
0003701481.tif 000003
【図３】
0003701481.tif 000004
【図４】
0003701481.tif 000005
【図５】
0003701481.tif 000006
【図６】
0003701481.tif 000007
【図７】
0003701481.tif 000008
【図８】
0003701481.tif 000009
【図９】
0003701481.tif 000010
【図１０】
0003701481.tif 000011
【図１１】
0003701481.tif 000012
【図１２】
0003701481.tif 000013
【図１３】
0003701481.tif 000014
【図１４】
0003701481.tif 000015
【図１５】
0003701481.tif 000016
【図１６】
0003701481.tif 000017
【図１７】
0003701481.tif 000018
【図１８】
0003701481.tif 000019
【図１９】
0003701481.tif 000020
【図２０】
0003701481.tif 000021
【図２１】
0003701481.tif 000022
【図２２】
0003701481.tif 000023
【図２３】
0003701481.tif 000024
【図２４】
0003701481.tif 000025
【図２５】
0003701481.tif 000026
【図２６】
0003701481.tif 000027
【図２７】
0003701481.tif 000028
【図２８】
0003701481.tif 000029
【図２９】
0003701481.tif 000030
【図３０】
0003701481.tif 000031
【図３１】
0003701481.tif 000032
【図３２】
0003701481.tif 000033